(57)【要約】【課題】光送受信装置ＴＲｘから光伝送路ｇＦの反射試験を行う方法、ならびに、そのための光装置および光送受信装置を提供する。【解決手段】試験信号が、光送受信装置ＴＲｘの方向から伝送路ｇＦに入射され、反射して光送受信装置に戻る信号ＭＳが解析される。実用信号を伝送するために設けられた伝送装置Ｔｘが、伝送モードから試験モードに切り替えられることによって、試験信号の伝送部としても使用され、また、伝送装置Ｔｘ自体が、反射信号ＭＳの受信部としても使用される。【選択図】      図１
2006084464.tif 000002
【特許請求の範囲】
【請求項１】
光伝送装置（ＴＲｘ）の方向から試験信号を光伝送路（ｇＦ）へ入射し、その反射信号（ＭＳ）を解析する、光伝送路（ｇＦ）の反射試験を行う方法であって、実用信号を伝送するように設けられた伝送装置（Ｔｘ）を、伝送モードから試験モードに切り替えることによって試験信号の伝送部としても使用し、伝送装置（Ｔｘ）自体を反射信号（ＭＳ）の受信部として用いることを特徴とする方法。
【請求項２】
光装置（ＴＲｘ）の方向から伝送路（ｇＦ）に試験信号を入射させる伝送手段を有し、光送受信装置へ反射して戻る信号を解析する受信手段を有する光伝送路（ｇＦ）の反射試験用の光装置（ＴＲｘ）であって、伝送手段（Ｔｘ）が、実用信号を伝送するように設けられた伝送装置（ＬＤ、ＭＤ）であり、また、受信手段が伝送装置（ＬＤ、ＭＤ）自体であることを特徴とする光装置（ＴＲｘ）。
【請求項３】
請求項２に記載の光装置を有することを特徴とする光送受信装置。
【請求項４】
レーザダイオード（ＬＤ）が伝送部として使用され、また、受信部として逆の機能を果たすのにも使用されることを特徴とする請求項１に記載の方法。
【請求項５】
モニタダイオード（ＭＤ）を有するレーザダイオード（ＬＤ）が伝送部として使用され、モニタダイオード（ＭＤ）が受信部としても使用されることを特徴とする請求項１に記載の方法。
【請求項６】
レーザダイオードが光増幅器として使用されることを特徴とする請求項５に記載の方法。
【発明の詳細な説明】
【技術分野】
【０００１】
本発明は、請求項１のプリアンブルに記載の光伝送路反射試験の方法に関し、請求項２のプリアンブルに記載の光装置に関し、請求項３のプリアンブルに記載の光送受信装置に関する。
【背景技術】
【０００２】
今日、グラスファイバは、いわゆるメトロネットワークおよびアクセスネットワークに益々盛んに使用されるようになっている。このような状況において、これら光データ接続を連続的に、または少なくとも定期的にモニタする必要が増している。モニタによって、データ接続が次第に劣化していくのをもし早期に検出できれば、予防処置を取るのが容易になる。それによって、ネットワークの高い稼動性が確保できる。これは、たとえばビジネス顧客に対して極めて重要なサービスを提供するのに大切なことである。また故障の場合には、修理や調整ができるようにするために、モニタ装置が、不具合箇所を迅速に突き止め、不具合の原因を特定することを可能にする。
【０００３】
ネットワーク運営者は、たとえば、グラスファイバネットワークの故障なのかネットワークノードの故障なのか判別するために、また、グラスファイバの故障の場合には、不具合箇所および不具合のタイプ、または接続の全体に渉って生じる劣化を特定するために、接続不具合の原因を迅速に突き止めることができる必要がある。
【０００４】
いわゆるＯＴＤＲ測定装置（ＯＴＤＲ＝Ｏｐｔｉｃａｌ  Ｔｉｍｅ  Ｄｏｍａｉｎ  Ｒｅｆｌｅｃｔｏｍｅｔｒｙ；光時間領域反射測定）を、たとえばケーブルの破損を突き止め、不具合を発見し、信号レベルの低下または特性の劣化を把握するなど、光接続の品質をモニタするために使用することが知られている。たとえばグラスファイバネットワークの記録を残すためなど必要に応じて、それによって測定を行うことができ、またはネットワークを運用しながら特定の測定用波長で多重作動させることによって測定を行うことができる。
【０００５】
そのような測定装置は、極めて多様なネットワーク構成における運用中の必要性をすべて満たすために、極めて信頼性が高く、かつ柔軟性を有する必要があるので、コスト高になる。
【発明の開示】
【課題を解決するための手段】
【０００６】
本発明はこれに対する支援策を、請求項１の教示による方法、請求項２の教示による光装置、および請求項３の教示による光送受信装置によって、提示するものである。
【０００７】
通常の運用のために既に設けられている装置を、実質的にモニタ装置にも用いることによって、極めて費用効果の高いモニタリングを提供する。
【０００８】
本発明は、添付特許請求の範囲および以下の説明によって、より詳細に知ることができる。
【０００９】
本発明は、添付図面に関連してより詳細に以下に説明される。
【発明を実施するための最良の形態】
【００１０】
先ず、本発明による光装置を有する本発明による光送受信装置の第１の例示的実施形態が、図１に関して記述される。
【００１１】
図１は、そこから出て行く光グラスファイバｇＦ（出力ファイバ）、およびそこに到着する光グラスファイバｃＦ（入力ファイバ）を有する光送受信装置ＴＲｘを示す。光送受信装置ＴＲｘの中核は、光伝送部Ｔｘおよび光受信部Ｒｘである。信号増幅器ＳＡも示されている。
【００１２】
光伝送部Ｔｘは、本発明を理解するのに必要なので、幾分、より詳細に示される。レーザダイオードＬＤがデータストリームＤ１によって駆動され、そこから延びている光グラスファイバｇＦに光データ信号ＤＳ１を伝送する。レーザダイオードはモニタダイオードを備えるが、モニタダイオードは本発明のこの第１の実施形態では本発明に必須の役割は果たさず、したがって示されていない。モニタダイオードはレーザダイオードを通常の運用中にモニタするのに使用される。
【００１３】
入力光グラスファイバｃＦを介して到達した光データ信号ＤＳ２は、受信部ＲｘでデータストリームＤ２に戻すよう変換される。これに必要な個々の処置は、本発明によって影響を受けることはなく、ここでは詳細には説明されない。
【００１４】
光グラスファイバｇＦの特性を測定するために、データストリームＤ１を中断するか、または適当な休止間隔を待ち、測定用パルス信号ＰＭを光伝送部Ｔｘに加え、レーザダイオードＬＤによって伝送する。光グラスファイバｇＦ中の様々な箇所で反射されたパルス信号ＰＭの成分が、モニタ信号ＭＳとして戻ってくる。
【００１５】
この例示的な実施形態は、今日一般に使用されている電気−光変換器、すなわちここで記述しているレーザダイオードが、到達した光によって電気的特性の変化を生じる逆の作動も可能であり、その電気的特性の変化を端子で読み取ることができることを利用している。この変化が、入ってくる光の強度に比例しない場合には、それに続く評価回路でそのことを考慮に入れなければならない。それ以外は、評価は、知られている方法で実施することができ、そのためにはこの変化を取り込み、信号増幅器ＳＡによってモニタ信号ＭＳに比例する測定信号ＭＳ’に変換する。信号増幅器ＳＡが発光要素、この場合はレーザダイオードＬＤに結合されているのは、ここでは極めて象徴的に理解されるべきである。到達する光子流に対して比例するのは、一般にそのような要素の両端の電圧ではなく、それを通る電流なので、取り込みは、好ましくは発光要素に直列に結合されたオームインピーダンスを用いて行われる。
【００１６】
いずれにしても、そのほかは本発明による構成ではない光伝送部に、ここではほとんど要素を追加することなく、やはり反射モニタに必要な測定信号を得ることができる。
【００１７】
個々の測定信号の評価は、本発明によって影響を受けず、ここではこれ以上記述しない。
【００１８】
第２の例示的実施形態が、図２に関して記述される。
【００１９】
図２は、わずかだけ図１と異なっている。ここでは、モニタダイオードＭＤが明示されており、この場合は、測定信号ＭＳ’はモニタダイオードに取り込まれる。第１の例示的実施形態で信号の読み込みについて行った説明はここでも適用される。この場合は、いずれにしてもモニタダイオードは増幅器と共に装備しなければならないので、別個の信号増幅器は不要になることもあり得る。
【００２０】
第２の例示的実施形態は、第１の例示的実施形態に対して、モニタダイオードが、光領域から電気領域への変換に関して既に最適化されている構成要素であり、その意図された作動モード以外では作動させられることがないという利点を有する。しかし、レーザダイオード自体の光強度と反射測定信号ＭＳの光強度には大きな差がり、したがってこれについては最適化されていない。それに加えて、モニタダイオードは、入射測定信号の光路の中に直接配置されておらず、したがって、入射測定信号は、レーザダイオードを通過後、またはレーザダイオードによって反射された後にモニタダイオードで測定される。
【００２１】
後者の欠点は、レーザダイオードが入射測定信号用の光増幅器として働き、それによってモニタダイオードに入射する前に光が増幅されるようにレーザダイオードを接続することによって、好ましくは、第３の例示的実施形態で克服される。
【００２２】
第１および第３の例示的実施形態は、使用されているダイオードが、単に伝送ダイオードとしてだけではなく、相互配線のタイプによって、他の用途にも使えることに基づいている。このこと自体は知られており、適切な様々な配線自体も知られている。
【図面の簡単な説明】
【００２３】
【図１】本発明による方法を実行するための本発明による光装置を有する本発明による光送受信装置の第１の例示的実施形態を示す図である。
【図２】本発明による方法を実行するための本発明による光装置を有する本発明による光送受信装置の第２の例示的実施形態を示す図である。第３の例示的実施形態の図もこれと相違が無い。
【符号の説明】
【００２４】
ｃＦ  光グラスファイバ
ｇＦ  光グラスファイバ、光伝送路
Ｄ１、Ｄ２  データストリーム
ＤＳ１、ＤＳ２  光データ信号
ＬＤ  レーザダイオード
ＭＤ  モニタダイオード
ＭＳ  モニタ信号、反射測定信号
ＭＳ’  測定信号
ＰＭ  測定用パルス信号
Ｒｘ  光受信部
ＳＡ  信号増幅器
ＴＲｘ  光送受信装置、光伝送装置、光装置
Ｔｘ  光伝送部、伝送装置
【図１】
2006084464.tif 000003
【図２】
2006084464.tif 000004
【外国語明細書】
2006084464.tif 000005
2006084464.tif 000006
2006084464.tif 000007
2006084464.tif 000008
2006084464.tif 000009
2006084464.tif 000010
2006084464.tif 000011
2006084464.tif 000012
2006084464.tif 000013
2006084464.tif 000014